(57)【要約】【課題】広告用画像の大きさに影響を与えずにＱＲコードの撮像及び読み取りを容易にする。【解決手段】広告用の画像を表示する第１の表示装置１と、ＱＲコードを表示する第２の表示装置２と、第１の表示装置１に表示する画像と第２の表示装置に表示するＱＲコードをそれぞれインターネット６を通じて配信する配信装置３と、配信装置３から配信される画像及びＱＲコードを受信して第１及び第２の表示装置１，２にそれぞれ表示させる通信端末装置４とを備える。広告用画像とＱＲコードを第１及び第２の表示装置１，２にそれぞれ個別に表示するので、第２の表示装置２に表示するＱＲコードの大きさを大きくしても第１の表示装置１に表示する広告用画像の大きさが影響を受けることがなく、広告用画像の大きさに影響を与えずにＱＲコードの撮像及び読み取りが容易になる。【選択図】        図１
2007011230.tif 000002
【特許請求の範囲】
【請求項１】
広告用の画像を表示する第１の表示装置と、ＱＲコードを表示する第２の表示装置と、第１の表示装置に表示する画像と第２の表示装置に表示するＱＲコードをそれぞれ電気通信回線を通じて配信する配信装置と、配信装置から配信される画像及びＱＲコードを受信して第１及び第２の表示装置にそれぞれ表示させる通信端末装置とを備え、
配信装置は、電気通信回線を通じて通信端末装置に対してデータを伝送するデータ伝送手段と、複数種類の広告用画像のデータ、個々の広告用画像データと関連する複数種類のＱＲコードのデータ、並びに各々の広告用画像とＱＲコードを第１及び第２の表示装置に表示するスケジュールを記憶した記憶手段と、記憶手段に記憶している広告用画像データ、当該広告用画像データと関連するＱＲコードデータ、並びにこれら広告用画像並びにＱＲコードを第１及び第２の表示装置に表示させるスケジュールを読み出してデータ伝送手段より通信端末装置へ伝送させる制御手段とを有し、
通信端末装置は、電気通信回線を通じて配信装置から伝送されるデータを受信するデータ伝送手段と、データ伝送手段で受信するデータを記憶する記憶手段と、記憶手段に記憶したスケジュールにしたがって互いに関連する広告用画像とＱＲコードを第１及び第２の表示装置に表示させる表示制御手段とを有することを特徴とする広告配信システム。
【請求項２】
通信端末装置の表示制御手段は、配信装置から電気通信回線を通じて伝送される文字情報をデータ伝送手段を介して受け取ったとき、当該文字情報を第１の表示装置の画面に広告用画像と同時に表示させるか、あるいはＱＲコードに代えて第２の表示装置の画面に表示させることを特徴とする請求項１記載の広告配信システム。
【発明の詳細な説明】
【技術分野】
【０００１】
本発明は、インターネットのような電気通信回線を通じて遠隔地にある表示装置に広告用の画像を伝送して表示させる広告配信システムに関するものである。
【背景技術】
【０００２】
近年、駅コンコースや商業ビルの玄関ロビー等にディスプレイ装置を設置し、遠隔地に設置された配信装置から電気通信回線（例えば、インターネット）を通じて広告用の画像データを伝送してディスプレイ装置に表示させることで商品やサービスの広告を行う広告配信システムが普及してきている。
【０００３】
例えば、特許文献１に記載されている従来システムでは、画面サイズが５０インチ程度の大型のディスプレイ装置とディスプレイコントローラを駅コンコース等に設置し、商品やサービスの広告用の画像（例えば、商品を写した静止画像など）と、当該商品やサービスに関する詳細な情報を提供しているホームページのアドレス（ＵＲＬ）を示したＱＲコードとを、ディスプレイ装置の画面内を区分けした２つの領域にそれぞれ同時に表示させている。すなわち、インターネット接続機能、カメラ機能並びにＱＲコード読み取り機能を有する携帯電話機でディスプレイ装置の画面に表示されているＱＲコードを撮像してホームページのアドレスを読み取り、インターネット接続機能を利用してディスプレイ装置の画面に表示されている商品やサービスに関する詳細な情報を提供するホームページにアクセスできるようにして消費者に商品やサービスを売り込むことができるのである。
【特許文献１】登録実用新案公報第３１０７７７７号
【発明の開示】
【発明が解決しようとする課題】
【０００４】
ところで、現在普及しているカメラ付き携帯電話機では電話機本体の大きさの制約からカメラレンズの焦点距離が短くなっている。一方、ＱＲコードの読み取り機能を使うにはＱＲコードをある程度大きく撮像しなければならない。しかしながら、上記従来例では広告用画像とＱＲコードが同一のディスプレイ装置の画面を区分けした２つの領域に同時に表示されており、見た目は単なる模様でしかないＱＲコードの表示領域は広告用画像の表示領域に比べて非常に小さくせざるを得ないため、カメラ付き携帯電話機でＱＲコードを大きく撮像することは容易でなかった。
【０００５】
本発明は上記事情に鑑みて為されたものであり、その目的は、広告用画像の大きさに影響を与えずにＱＲコードの撮像及び読み取りが容易になる広告配信システムを提供することにある。
【課題を解決するための手段】
【０００６】
請求項１の発明は、上記目的を達成するために、広告用の画像を表示する第１の表示装置と、ＱＲコードを表示する第２の表示装置と、第１の表示装置に表示する画像と第２の表示装置に表示するＱＲコードをそれぞれ電気通信回線を通じて配信する配信装置と、配信装置から配信される画像及びＱＲコードを受信して第１及び第２の表示装置にそれぞれ表示させる通信端末装置とを備え、配信装置は、電気通信回線を通じて通信端末装置に対してデータを伝送するデータ伝送手段と、複数種類の広告用画像のデータ、個々の広告用画像データと関連する複数種類のＱＲコードのデータ、並びに各々の広告用画像とＱＲコードを第１及び第２の表示装置に表示するスケジュールを記憶した記憶手段と、記憶手段に記憶している広告用画像データ、当該広告用画像データと関連するＱＲコードデータ、並びにこれら広告用画像並びにＱＲコードを第１及び第２の表示装置に表示させるスケジュールを読み出してデータ伝送手段より通信端末装置へ伝送させる制御手段とを有し、通信端末装置は、電気通信回線を通じて配信装置から伝送されるデータを受信するデータ伝送手段と、データ伝送手段で受信するデータを記憶する記憶手段と、記憶手段に記憶したスケジュールにしたがって互いに関連する広告用画像とＱＲコードを第１及び第２の表示装置に表示させる表示制御手段とを有することを特徴とする。
【０００７】
請求項２の発明は、請求項１の発明において、通信端末装置の表示制御手段は、配信装置から電気通信回線を通じて伝送される文字情報をデータ伝送手段を介して受け取ったとき、当該文字情報を第１の表示装置の画面に広告用画像と同時に表示させるか、あるいはＱＲコードに代えて第２の表示装置の画面に表示させることを特徴とする。
【発明の効果】
【０００８】
本発明によれば、広告用画像とＱＲコードを第１及び第２の表示装置にそれぞれ個別に表示するので、第２の表示装置に表示するＱＲコードの大きさを大きくしても第１の表示装置に表示する広告用画像の大きさが影響を受けることがなく、広告用画像の大きさに影響を与えずにＱＲコードの撮像及び読み取りが容易になるという効果がある。
【発明を実施するための最良の形態】
【０００９】
以下、図面を参照して本発明の実施形態を詳細に説明する。
【００１０】
本実施形態は、図１に示すように広告用の画像を表示する第１の表示装置１と、ＱＲコードを表示する第２の表示装置２と、第１の表示装置１に表示する画像と第２の表示装置に表示するＱＲコードをそれぞれ電気通信回線（インターネット）６を通じて配信する配信装置３と、配信装置３から配信される画像及びＱＲコードを受信して第１及び第２の表示装置１，２にそれぞれ表示させる通信端末装置４とを備えている。
【００１１】
第１の表示装置１は、ＰＤＰ（Plasma Display Panel）やＬＣＤ（Liquid Crystal Display）を表示デバイスとする大型（例えば、画面サイズが５０インチ以上）のディスプレイ装置からなり、駅コンコース等に設置される。また第２の表示装置２は、同じくＰＤＰやＬＣＤ若しくはＣＲＴ（Cathode Ray Tube）を表示デバイスとする小型（例えば、画面サイズが３２インチ以下）のディスプレイ装置からなり、第１の表示装置１の画面が見える範囲内に設置される。
【００１２】
通信端末装置４は、図２に示すようにインターネット６を通じて配信装置３から伝送されるデータを受信するデータ伝送手段４１と、データ伝送手段４１で受信するデータを記憶する記憶手段４２と、記憶手段４２に記憶したスケジュールにしたがって互いに関連する広告用画像とＱＲコードを第１及び第２の表示装置１，２に表示させる表示制御手段４３とを有し、ＣＰＵやメモリ、ハードディスク、モデム、ディスプレイアダプタなどのハードウェアに、オペレーティングシステムや種々のアプリケーションプログラムなどのソフトウェアを搭載した汎用のコンピュータからなる。なお、表示制御手段４３は、後述する処理を行うためのプログラム（ソフトウェア）をＣＰＵで実行することによって実現されるものである。
【００１３】
配信装置３は、図３に示すようにインターネット６を通じて通信端末装置４に対してデータを伝送するデータ伝送手段３１と、複数種類の広告用画像のデータ、個々の広告用画像データと関連する複数種類のＱＲコードのデータ、並びに各々の広告用画像とＱＲコードを第１及び第２の表示装置１，２に表示するスケジュールを記憶した記憶手段３２と、記憶手段３２に記憶している広告用画像データ、当該広告用画像データと関連するＱＲコードデータ、並びにこれら広告用画像並びにＱＲコードを第１及び第２の表示装置１，２に表示させるスケジュールを読み出してデータ伝送手段３１より通信端末装置４へ伝送させる制御手段３３とを有し、ＣＰＵやメモリ、ハードディスク、モデム、ディスプレイアダプタなどのハードウェアに、オペレーティングシステムや種々のアプリケーションプログラムなどのソフトウェアを搭載した汎用のコンピュータからなる。なお、制御手段３３は、後述する処理を行うためのプログラム（ソフトウェア）をＣＰＵで実行することによって実現されるものである。
【００１４】
ここで広告用画像とは、ある商品又はサービスを広告するために当該商品又はサービスの提供内容等を表した写真や図若しくは文字、あるいはこれらの組み合わせからなる静止画若しくは動画であって、当該商品又はサービスに関する詳細な情報を提供しているホームページのアドレス（ＵＲＬ）を示したＱＲコードと関連付けて記憶手段３２に記憶されている。なお、配信装置３の記憶手段３２に対して広告用画像並びにＱＲコードを記憶させる処理（登録処理）は、配信装置３にて行ってもよいし、インターネット６を通じて別のコンピュータ（登録装置）から広告用画像データ及びＱＲコードデータを送信して登録するようにしても構わない。
【００１５】
またスケジュールは、例えば一日を朝、昼、夜の３つの時間帯に区切り、各時間帯毎に表示する広告用画像及びＱＲコードが設定されるとともに、平日、土曜日、日曜日又は祝日毎に表示する広告用画像及びＱＲコードが設定されるものであって、配信装置３若しくは別のコンピュータで作成されて記憶手段３２に記憶される。そして、第１及び第２の表示装置１，２で広告用画像及びＱＲコードが表示されていない時間帯（例えば、深夜２時から３時の間）に、配信装置３の制御手段３３がデータ伝送手段３１からインターネット６を通じて各通信端末装置４に対して広告用画像データ、ＱＲコードデータ並びにスケジュールのデータを伝送（配信）し、各通信端末装置４の表示制御手段４３ではデータ伝送手段４１で受信した前記データを記憶手段４２に記憶する。
【００１６】
通信端末装置４においては、表示制御手段４３が記憶手段４２に記憶したスケジュールに従って広告用画像データ及びＱＲコードデータを読み出して第１及び第２の表示装置１，２にそれぞれ広告用画像並びにＱＲコードを表示させる。また、気象情報や地震情報あるいは重大な事件・事故に関する報道等の文字情報を配信装置３から各通信端末装置４に配信し、各通信端末装置４では表示制御手段４３が前記文字情報を第１の表示装置１にテロップとして表示させるか、あるいは第２の表示装置２にＱＲコードの代わりに表示させることも可能である。
【００１７】
上述のように本実施形態では、広告用画像とＱＲコードを第１及び第２の表示装置１，２にそれぞれ個別に表示するので、第２の表示装置２に表示するＱＲコードの大きさを大きくしても第１の表示装置１に表示する広告用画像の大きさが影響を受けることがなく、広告用画像の大きさに影響を与えずにＱＲコードの撮像及び読み取りが容易になるという利点がある。
【図面の簡単な説明】
【００１８】
【図１】本発明の実施形態を示すシステム構成図である。
【図２】同上における通信端末装置のブロック図である。
【図３】同上における配信装置のブロック図である。
【符号の説明】
【００１９】
１  第１の表示装置
２  第２の表示装置
３  配信装置
４  通信端末装置
６  インターネット
【図１】
2007011230.tif 000003
【図２】
2007011230.tif 000004
【図３】
2007011230.tif 000005